(57)【要約】【課題】従来の方法では、予め画像データに順番が付けられている必要があった。また、画像データと音楽データの関連付けの際、画像データに関するユーザの思い出に合うような音楽データを自動的に関連づけることはできなかった。さらには、画像データと音楽データとの再生時間が合わない場合に、適当に適合させられるものではなかった。【解決手段】選択される画像データに関する日時属性に対応する音楽データを、音楽データに関する再生履歴を記憶する再生履歴記憶部１０５から取得し、再生リストを作成する音楽データ再生リスト作成部１０６とを備える。さらに、選択される画像データを再生リスト対応させるデータ編成部１０７によって編成された音楽データと画像データを同時に再生する。【選択図】図１
2008011395.tif 000002
【特許請求の範囲】
【請求項１】
データを記録媒体に記録し、前記記録媒体に記録されているデータを再生する再生装置であって、
音楽データの再生リストと、画像データの再生リストを対応させるための編成パラメータを決定する編成パラメータ決定手段と、
前記編成パラメータ決定手段によって決定される編成パラメータによって、データを編成するデータ編成手段と、
前記データ編成手段によって編成された音楽データと画像データを同時に再生する再生手段と、
を有することを特徴とするデータ再生装置。
【請求項２】
前記データ編成手段は、前記編成パラメータに合わせて、前記画像データの分類を行うデータグルーピング手段を更に有することを特徴とする請求項１に記載のデータ再生装置。
【請求項３】
前記データグルーピング手段は、前記画像データの再生時間が前記音楽データの再生時間に適合するように分類する粒度を決定する分類粒度決定手段を更に有することを特徴とする請求項２に記載のデータ再生装置。
【請求項４】
前記データ編成手段は、前記編成パラメータに合わせて、前記画像データの並び替えを行うデータソート手段を更に有することを特徴とする請求項１に記載のデータ再生装置。
【請求項５】
前記データソート手段は、前記画像データが前記音楽データの再生リストに適合するように並び替えの対象を決定するソート対象決定手段を更に有することを特徴とする請求項４に記載のデータ再生装置。
【請求項６】
ユーザによって選択される画像データの属性に適合する音楽データの再生リストを作成する音楽データ再生リスト作成手段と、
再生した音楽データ情報を記憶する再生履歴記憶手段と、
を更に有し、
前記音楽データ再生リスト作成手段は、再生リスト作成に際して前記再生履歴記憶手段に記憶される再生履歴を用いることを特徴とする請求項１乃至５のいずれか１項に記載のデータ再生装置。
【請求項７】
前記音楽データ再生リスト作成手段は、前記画像データの再生時間が前記音楽データの再生時間に適合するように、前記再生履歴記憶手段に記憶される音楽データの取得範囲を決定する再生履歴使用範囲決定手段を更に有することを特徴とする請求項６に記載のデータ再生装置。
【請求項８】
データを記録媒体に記録し、前記記録媒体に記録されているデータを再生する再生方法であって、
音楽データの再生リストと、画像データの再生リストを対応させるための編成パラメータを決定する編成パラメータ決定工程と、
前記編成パラメータ決定工程によって決定される編成パラメータによって、データを編成するデータ編成工程と、
前記データ編成工程によって編成された音楽データと画像データを同時に再生する再生工程と、
を有することを特徴とするデータ再生方法。
【請求項９】
前記データ編成工程は、前記編成パラメータに合わせて、前記画像データの分類を行うデータグルーピング工程を更に有することを特徴とする請求項８に記載のデータ再生方法。
【請求項１０】
前記データグルーピング工程は、前記画像データの再生時間が前記音楽データの再生時間に適合するように分類する粒度を決定する分類粒度決定工程を更に有することを特徴とする請求項９に記載のデータ再生方法。
【請求項１１】
前記データ編成工程は、前記編成パラメータに合わせて、前記画像データの並び替えを行うデータソート工程を更に有することを特徴とする請求項８に記載のデータ再生方法。
【請求項１２】
前記データソート工程は、前記画像データが前記音楽データの再生リストに適合するように並び替えの対象を決定するソート対象決定工程を更に有することを特徴とする請求項１１に記載のデータ再生方法。
【請求項１３】
ユーザによって選択される画像データの属性に適合する音楽データの再生リストを作成する、音楽データ再生リスト作成工程と、
再生した音楽データ情報を記憶する再生履歴記憶工程と、
を更に有し、
前記音楽データ再生リスト作成工程は、再生リスト作成に際して前記再生履歴記憶工程に記憶される再生履歴を用いることを特徴とする請求項８乃至１２のいずれか１項に記載のデータ再生方法。
【請求項１４】
前記音楽データ再生リスト作成工程は、前記画像データの再生時間が前記音楽データの再生時間に適合するように、前記再生履歴記憶工程に記憶される音楽データの取得範囲を決定する再生履歴使用範囲決定工程を更に有することを特徴とする請求項１３に記載のデータ再生方法。
【請求項１５】
請求項８乃至１４のいずれか１項に記載のデータ再生方法をコンピュータに実行させるためのプログラム。
【発明の詳細な説明】
【技術分野】
【０００１】
本発明は、画像データと音楽データを合わせて再生するデータ再生装置及びデータ再生方法に関する。
【背景技術】
【０００２】
従来、パーソナルコンピュータ（ＰＣ）等で、予めユーザによって指定される複数の画像データを一定時間ごとに切り替えて表示するスライドショーが利用されている。様々な周辺機器がネットワークで接続されるようになった近年では、スライドショーに利用できる画像データ、音楽データが必ずしもまとめられておらずに散在していることも多い。このため、何かしらのスライドショーを作成する際の負荷が増大しているため、スライドショーを作成するための技術が広く利用されている。
【０００３】
例えば、特許文献１では、順番をつけた画像データと、関連付けた音声データをテレビジョン上で確実に再生する技術が提案されている。
【０００４】
また、選択された画像データと共に再生する音楽データを自動的に分析する、あるいは、選択された音楽データと共に再生する画像データを自動的に分析して、ユーザの好みに適合するスライドショーを提供することが開示されている（特許文献２）。
【０００５】
ところで、画像データと音楽データの再生時間は、どちらか一方のデータ量が多かったり、少なかったりする場合も多い。これに基づいて、特許文献３には、画像データ再生中に、選択された音楽データを繰り返して再生する技術が記載されている。
【０００６】
【特許文献１】特開２００５−０５７４３６号公報
【特許文献２】特開２００４−２０６７１１号公報
【特許文献３】特開２００４−３３４９６４号公報
【発明の開示】
【発明が解決しようとする課題】
【０００７】
上述した従来の方法では、画像データと音楽データの関連付けの際、画像データに関するユーザの思い出に合うような音楽データを自動的に関連づけることはできなかった。さらには、画像データと音楽データとの再生時間が合わない場合に、適当に適合させられるものではなかった。
【０００８】
本発明の目的は、上記従来技術の欠点を解決することにあり、画像データと適合する音楽データを自動的に編成出来るようにすること、画像データと音楽データの再生時間が合わなくても適合させるようにすることである。
【０００９】
また、本願発明の他の目的は、画像データが作成された時期を思い出させるのに効果的な音楽データを関連付ける方法を提供することにある。
【課題を解決するための手段】
【００１０】
本発明の一態様に係る情報処理装置は以下のような構成を備える。即ち、データを記録媒体に記録し、前記記録媒体に記録されているデータを再生する再生装置であって、音楽データの再生リストと、画像データの再生リストを対応させるための編成パラメータを決定する編成パラメータ決定手段を有する。加えて、前記編成パラメータ決定手段によって決定される編成パラメータによって、データを編成するデータ編成手段を有する。さらには前記データ編成手段によって編成された音楽データと画像データを同時に再生する再生手段を有することを特徴とする。
【００１１】
本発明の一態様に係る情報処理装置におけるデータ再生方法は以下のような工程を備える。即ち、データを記録媒体に記録し、前記記録媒体に記録されているデータを再生する再生方法であって、音楽データの再生リストと、画像データの再生リストを対応させるための編成パラメータを決定する編成パラメータ決定工程を有する。加えて、前記編成パラメータ決定工程によって決定される編成パラメータによって、データを編成するデータ編成工程を有する。さらには前記データ編成工程によって編成された音楽データと画像データを同時に再生する再生工程とを有することを特徴とする。
【発明の効果】
【００１２】
本発明によれば、画像データと適合する音楽データを自動的に編成できるようにすること、画像データと音楽データの再生時間が合わなくても適合させるようにすることができる。また、画像データの再生時に流すＢＧＭとして、画像データが作成された時期を思い出させるのに効果的な音楽データを関連付けることができる。
【発明を実施するための最良の形態】
【００１３】
以下、添付図面を参照して本発明の好適な実施の形態を詳しく説明する。尚、以下の実施の形態は特許請求の範囲に係る発明を限定するものでなく、また、本実施の形態で説明されている特徴の組み合わせの全てが発明の解決手段に必須のものとは限らない。
【００１４】
図１は、本発明の実施の形態に係るデータ再生装置の機能構成を示すブロック図である。図１において、再生装置１０１は、再生制御部１０９によって画像データや音声データを再生し、出力部１１０へ画像や音声を出力している。再生の制御は入力部１１１によって入力されるユーザ操作による指示をもとに行われる。なお、出力部は画像表示のためのＣＲＴや液晶、プラズマ、ＳＥＤ等の表示ユニットを有し、音声出力のためのスピーカ等の出力ユニットを有する。なお、出力の制御は、出力制御部１１２によって行われ、入力の制御は、入力制御部１１３によって行われる。
【００１５】
また、１０８はデータ再生装置１０１の情報処理部を示している。情報処理部１０８は、再生履歴記憶部１０５、音楽データ再生リスト作成部１０６、データ編成部１０７、再生制御部１０９、入力制御部１１３及び出力制御部１１２を実現する処理プログラムを記憶する。データ編成部１０７は、更に、音楽データに画像データを合わせるための、編成パラメータ決定部を有する。
【００１６】
また、そのプログラムに従ってその機能を実現する。それとともに、入力部１１１や出力部１１０の制御も行う。具体的には、この情報処理部１０８は、少なくともＣＰＵ１０２と、このＣＰＵにより実行される処理プログラムを記憶するプログラムメモリ１０３を有する。
【００１７】
さらにＣＰＵによる処理時にワークエリアを提供して各種データを一時的に格納するメモリ１０４を有し、上述した各部１０５〜１０７、１１２、１１３の機能は、この処理プログラムとＣＰＵとの協働により実現される。
【００１８】
また、処理プログラムがインストールされているハードディスク（ＨＤ）（不図示）を更に有し、処理プログラムの実行時に、その処理プログラムがＨＤからＲＡＭ（不図示）にロードされて実行される形式でもよい。
【００１９】
（第１の実施形態）
以下、本発明の第１の実施形態についてより具体的に説明する。
【００２０】
図２は、第１の実施形態に係る再生装置において、画像データと同時に再生させる音声データを設定する際の動作例を説明するフローチャートである。この処理を実行するプログラムは情報処理部１０８のプログラムメモリ１０３に記憶されＣＰＵ１０２の制御の下に実行される。
【００２１】
尚、この設定は複数の画像を選択した際や、複数の画像の再生リストを作成した際等に起動される。
【００２２】
先ず、ステップ２０１において、ユーザが選択した画像に関する属性を取得する。次に、ステップ２０２において、音楽データ再生リスト作成部によって、ステップ２０１で取得される任意の属性に対応する音楽データを取得する。なお、音楽データは必ずしも再生装置１０１に保存されている必要はなく、記憶媒体１１４は取り外し可能な記憶媒体も含む。また、ネットワークで接続される機器に保存される音楽データや、ネットワークからダウンロードされる音楽データでも、再生制御部１０９が再生できるデータであれば、その保存場所及び保存形式は問わない。
【００２３】
これによれば、日時属性から、その頃の世間で最も売れた曲等のヒット曲や、その頃に発売された曲等を取得することも可能である。
【００２４】
次に、ステップ２０３では、音楽が取得できたかどうかを調べる。音楽があれば「Ｙｅｓ」となってステップ２０４へ進む。ステップ２０４では、取得された音楽データと選択されている画像データの量を比較して、同時再生を行うのに適当な量かどうかを調べる。適当な量であればステップ２０８でプレビューを表示して終了する。
【００２５】
ステップ２０４で「Ｎｏ」と判定されると、ステップ２０５で音楽に対しての画像の量が多いか少ないかを判定する。音楽が多い場合にはステップ２０６で、複数の音楽が少しずつ再生されるように設定し、プレビューを表示して終了する。
【００２６】
音楽が少ない場合にはステップ２０７で取得する音楽の属性を変更して音楽を取得する。例えば、はじめに画像データの作成日時属性に適合するように音楽データの取得を試みていた場合には、適合させる属性を保存日時属性や作成者属性、撮影機種属性等に変更する。
【００２７】
変更した属性での音楽データの取得が終われば、ステップ２０３に戻って、同様の処理を行う。
【００２８】
一方、ステップ２０３で「Ｎｏ」となり音楽が取得できなかった場合には、ステップ２０９で音楽をダウンロードするかどうかをユーザに確認する。そして、希望があれば、ステップ２１０でネットワーク等からダウンロードすることで、画像の日時属性にあった音楽を入手する。
【００２９】
ダウンロードを望まない場合でも、ステップ２１１でユーザが好きな音楽を再生するように設定するかどうかを確認し、ユーザの希望があればステップ２１２でユーザの所望する音楽を設定する。
【００３０】
これにより、音楽データ再生リスト作成部１０６によって、画像データに合う音声データの再生リストが作成される。入力部１１１より、再生が指示されると、再生部１０９は画像データの再生及び音楽データの再生を開始する。
【００３１】
図１２は、編成パラメータを決定する際の動作例を示すフローチャートである。
【００３２】
先ず、ステップ１２０１で設定されている編成パラメータがあるか調べ、設定があればステップ１２０２で適用して終了する。設定がなければステップ１２０３で画像が多いか調べる。
【００３３】
画像が多ければステップ１２０４へ進み、画像をグルーピングするようにパラメータを設定する。ステップ１２０３でＮｏとなればステップ１２０５へ進み音楽が多いか調べる。
【００３４】
「Ｙｅｓ」となればステップ１２０６で、例えば音楽のサビ部分だけを使用するように設定することで、音楽の再生時間を短くし、画像の再生時間に合わせるように設定する。
【００３５】
上述の例では、音楽データと画像データの量を比較して同時再生を行うのに適する編成パラメータを調べたが、編成パラメータはユーザが選んでもよい。
【００３６】
この場合は、ステップ１２０１でユーザ設定がないかどうかも調べ、さらには自動とユーザ設定のどちらを優先するかを決めておく。
【００３７】
図４は、本実施形態に係るデータ再生装置において、データ編成部１０７で設定される編成パラメータに基づき、出力部１１０に出力される画像データに対して、関連する音声データを配置する方法の一例を示す概念図である。
【００３８】
例えば、選択された画像がＮ枚存在した場合には、取得された音楽データの再生時間に対して均等になるように画像を再生する。
【００３９】
データ編成部１０７が、予め音楽データの再生時間と、画像の再生時間を比較し、編成パラメータ決定部で、どのように適合させるかを決定する。
【００４０】
しかしながら、画像データと音楽データの量が適当になる場合だけではないので、編成パラメータの設定によって、取得された音楽データのうち、使用するものを半分にしてもよい。
【００４１】
使用する基準としては、ファイル名や、再生頻度の上位にくるものを画像データに合うように利用すればよい。また、取得される音楽データを全て再生するのではなく、時間や、サビ部分で切り出して利用してもよい。
【００４２】
音楽データをどのように適合させるかを決める編成パラメータは、編成パラメータ決定手段によって自動的に決定されるとしたが、入力部１１１からのユーザ指定によって選択できるようにしてもよい。
【００４３】
以上説明したように、第１の実施形態によれば、ユーザに選択された画像データの日時属性に合う音楽データが設定することができる。また、ユーザにとって、面倒な手間をかけずにスライドショーを楽しめる再生装置を提供することができる。
【００４４】
（第２の実施形態）
以下、図面を用いて本発明の第２の実施形態について詳細に説明する。尚、この第２の実施形態に係るデータ再生装置１０１の構成は前述の第１の実施形態と同様であるため、その説明を省略する。図５は、本実施形態に係るデータ再生装置において出力部１１０の有する表示画面に出力される画面例を示す図である。
【００４５】
図５では、画像の配置例として１回の描画につき６つの画像データが表示されている。５０１〜５０６のそれぞれは、記憶媒体１１４等に記憶されている画像データの再生表示画像を示している。
【００４６】
画像データはそれぞれ保存されているサイズで表示してもよいが、データ編成部１０７によって、音楽データに対して画像データが極端に多いと判断される場合等には、図５のようにまとめて表示する。これにより、音楽データが不足すること及び、画像データが過剰になることを防ぐ。
【００４７】
場合に応じて、図６のように２つの画像配置でもよく、並べ方もいろいろと変えられるようにするのが好ましい。
【００４８】
図５や図６に示す表示形式を用いる場合には、データ編成部１０７によって編成されるデータは、図７のようになる。
【００４９】
図示したように、例えば音楽データＡに関して、画像データのグループを１から順に、予め決められた間隔で切り替えていく。
【００５０】
このとき、画像の表示順序はユーザが指定したものではなく、取得された音声データに合うようにグルーピングされた結果の並びとなる。グルーピングは、音楽データ再生リスト作成部１０６によって作成される音楽データの再生時間の合計と、ユーザ任意で設定される画像表示の切り替え時間を比較して行われる。つまり、音楽データの量と画像データの量、画像データの属性等から、データ編成部１０７によって決定される編成パラメータをもとに、画像データがグルーピングされる。
【００５１】
図８は、本実施形態に係るデータ再生装置において、データ編成部１０７で設定される編成パラメータに基づき、画像データをグルーピングする際の動作例を説明するフローチャートである。
【００５２】
先ず、ステップ８０１において、音楽再生時間より画像再生時間が長いかどうか確認する。「Ｎｏ」となった場合には処理を終了する。「Ｙｅｓ」となれば、ステップ８０２で適当なグルーピング基準を設定する。
【００５３】
例えば、画像データの属性の１つである作成日時の時間が1分以内なものを一つにまとめるようにグルーピングを設定する。もしくは、ユーザによって同じカテゴリ属性が付与されているデータをグルーピングしてもよい。この設定は、ユーザが任意に選べるようにする。
【００５４】
ステップ８０３では前ステップで設定したグルーピングに基づいて画像データを分類する。
【００５５】
続けて、ステップ８０４では、グルーピングによって、画像再生時間が音楽再生時間内に収まるようになったか調べる。ステップ８０４で「Ｎｏ」となった場合には、ステップ８０２に戻ってグルーピングの基準を修正する。グルーピングをもっと大きな単位で行うように変更することで、音楽再生時間に収まるようにする。
【００５６】
ステップ８０４で「Ｙｅｓ」となれば、続けてステップ８０５でグループをまとめすぎたことによって画像再生時間が短くなっていないか確認する。
【００５７】
短くなりすぎている場合は、ステップ８０６でグルーピングのいくつかを解除する。
【００５８】
ステップ８０７で適当な画像再生時間になったかどうか確認し、適当な再生時間になるまで、ステップ８０６とステップ８０７を繰り返す。
【００５９】
ステップ８０７で適当な再生時間だと判断された場合、及びステップ８０１で「No」となる場合やステップ８０５で「Ｎｏ」となれば処理を終了する。
【００６０】
以上説明したように、第２の実施形態によれば、ユーザが選択する画像データと、画像データに合わせて取得される音楽データの比率が合わなくても、適当に再生データが編成される。よって面倒な手間をかけずに、画像が適当にグルーピングされたスライドショーを楽しめる再生装置を提供することができる。
【００６１】
（第３の実施形態）
以下、図面を用いて本発明の第３の実施形態について詳細に説明する。尚、この実施の形態３に係るデータ再生装置１０１の構成は前述の第１の実施形態と同様であるため、その説明を省略する。図１０は、本実施形態に係るデータ再生装置において、データ編成部１０７で設定される編成パラメータに基づき、画像データを並べ替える際の動作例を説明するフローチャートである。
【００６２】
先ずステップ１００１において、ユーザによって選択されている画像データから属性を取得する。次にステップ１００２において、ソートが可能か調べる。
【００６３】
ステップ１００１で取得された属性に関して、属性値を持つ画像データがあるかを調べる。同時に、その属性値によって並べることが可能かどうかを調べる。調べた結果、ソート可能でなければ「Ｎｏ」となり処理を終了する。ソート可能であれば「Ｙｅｓ」となりステップ１００３へ進む。
【００６４】
ステップ１００３では、ステップ１００２で調べたソート対象を提示してユーザに選択してもらう等して、ソート対象を決定する。
【００６５】
続いてステップ１００４で決定されたソート対象で並べ替えて処理を終了する。例えば、選択されている画像データの、属性のうち、データ作成日時と作成ユーザの属性によって音楽が選択されていれば、作成日時とユーザの属性でソートが可能になる。
【００６６】
作成日時属性によって取得された音楽を再生する時は、作成日時によって並べられた画像データを、ユーザ属性によって取得された音楽を再生する時は、ユーザ属性によって並べられた画像データを同時に再生する。
【００６７】
図１１は、第３の実施形態に係るデータ再生装置において、データ編成部１０７で設定される編成パラメータに基づき、音楽データに合わせて画像データを並べ替えて配置するデータ編成方法の一例を示す概念図である。
【００６８】
ここでは、ユーザに選択された画像の中に、「日時属性Ａ」、「日時属性Ｂ」、「ユーザ入力属性Ｃ」という属性がある場合に、それぞれの属性で音楽データが取得された場合について説明する。
【００６９】
このとき、音楽データ再生リスト作成部１０６は、「日時属性Ａで取得された音楽データＡ」、「日時属性Ｂで取得された音楽データＢ」、「ユーザ入力属性Ｃで取得された音楽データＣ」というリストを作成する。よって、ユーザによって、画像ソートが指定された場合、あるいは予めソートが設定されている場合に、ユーザが適当な順序で選択を指定した画像の並べ替えが行われる。
【００７０】
音楽データＡの再生中には、「日時属性Ａ」を有する「画像データＡ」から順に「Ａ’」、「Ａ’’」、「Ａ’’’」、「Ａ’’’’」と並べられる。具体的には、ユーザによって選択された画像の中から、「日時属性Ａ」を属性に持つデータ、例えば、「２００５年」という属性を持つ画像が選択され、「２００５年」の中で、日付順に並べられる。日付が同じならば、時間順で並べられ、他にファイル名順で並べても構わない。
【００７１】
また、「日時属性Ｂ」を属性に持つデータ、例えば「２００４年１２月」という属性を持つ画像が選択され、「２００４年１２月」の中で、日時順に並べられる。更には、「ユーザ入力属性Ｃ」を持つ画像が選択され、例えば「クリスマス」という属性を持つ画像が選択され、年代、日時、日付順に並べられる。夫々の属性を重複して有する画像データがある場合には、優先度の高い属性でグルーピングされる。
【００７２】
例えば、「２００４年１２月」に撮影された「クリスマス」の写真があれば、予め設定される優先度に基づいて、一方に分類される。これにより、「２００５年」に撮影された画像、保存された画像の再生時には、ＢＧＭとして、「２００５年」に作曲された音楽、作成された音楽、購入した音楽、発売された音楽等が再生される。
【００７３】
同様に、「２００４年１２月」に撮影された画像、保存された画像の再生時には、ＢＧＭとして、「２００４年１２月」に作曲された音楽、作成された音楽、購入した音楽、発売された音楽等が再生される。
【００７４】
また、属性によって、画像データの量が多すぎる場合には、画像の再生を図５や図６のようにまとめて行ったり、音楽データを繰り返したりするとよい。一方で、属性によって画像データの量が少なすぎる場合には、音楽データの再生を一部分にしたり、関連する音楽を取得できなかった画像を再生したりするとよい。
【００７５】
以上説明したように、第３の実施形態によれば、ユーザが選択する画像データの順序が無秩序であっても、画像データに合わせて取得される音楽データに合わせて、適当な順序に並べられる。よって面倒な手間をかけずに、画像が適当にソートされたスライドショーを楽しめる再生装置を提供することができる。
【００７６】
（第４の実施形態）
以下、図面を用いて本発明の第４の実施形態について詳細に説明する。尚、この第４の実施形態に係るデータ再生装置１０１の構成は前述の第１の実施形態と同様であるため、その説明を省略する。図９は、本実施の形態に係る再生装置において、画像データと同時に再生させる音声データを再生履歴記憶部１０５に記憶される再生履歴から取得して設定する際の動作例を説明するフローチャートである。
【００７７】
この処理を実行するプログラムは情報処理部１０８のプログラムメモリ１０３に記憶されＣＰＵ１０２の制御の下に実行される。尚、この設定は複数の画像を選択した際や、複数の画像の再生リストを作成した際等に起動される。
【００７８】
先ず、ステップ９０１において、ユーザが選択した画像に関する属性の１つである日時を取得する。
【００７９】
次に、ステップ９０２において、再生履歴記憶部１０５に記憶される再生履歴から、ステップ９０１で取得される日時に該当する月間の再生回数が多い音楽データを取得する。図３は、再生履歴記憶部１０５に保存される再生履歴の一例である。再生履歴には、例えば、月間の再生回数ランキングが記憶されている。
【００８０】
ステップ９０２で取得される日時が「２００４年１２月３日」ならば、３０１に示すように、対応する２００４年の１２月に最も頻繁に再生された１０曲が取得される。再生履歴記憶部１０５には、再生履歴のみが保存されればよく、実際のデータは保持する必要はない。そのため、再生履歴に保存される音楽データが削除される場合には、再生履歴からも削除するかどうかユーザが選択できるとよい。なお、音楽データは必ずしも再生装置１０１に保存されている必要はなく、記憶媒体１１４は取り外し可能な記憶媒体も含む。また、ネットワークで接続される機器に保存される音楽データや、ネットワークからダウンロードされる音楽データでも、再生部１０９が再生できるデータであれば、その保存場所及び保存形式は問わない。
【００８１】
次に、ステップ９０３では、音楽が取得できたかどうかを調べる。音楽があれば「Ｙｅｓ」となってステップ９０４へ進む。ステップ９０４では、取得された音楽データと選択されている画像データの量を比較して、同時再生を行うのに適当な量かどうかを調べる。
【００８２】
適当な量であればステップ９０８でプレビューを表示して終了する。ステップ９０４でＮｏと判定されると、ステップ９０５で音楽に対しての画像の量が多いか少ないかを判定する。音楽が多い場合にはステップ９０７で、複数の音楽が少しずつ再生されるように設定し、プレビューを表示して終了する。音楽が少ない場合にはステップ９０６で取得する音楽の日時属性を変更して再生履歴記憶部１０５より音楽を取得する。
【００８３】
例えば画像データの日時属性が「２００５年２月」だった場合には、図３の３０２で示すように再生した音楽データが１つだけとなる。そのため、「２００５年」という属性から、年間の再生頻度ランキングを取得するように変更する。
【００８４】
前後１ヶ月の３ヶ月の再生頻度を用いてもよく、音楽データが取得できるまで、取得の対象とする日時範囲の幅を広げるようにしてもよい。ステップ９０６で取得した音楽データを調べるために、ステップ９０３へと戻り、同様の手順を踏む。なお、ここでは再生履歴を用いる例を示したが、必ずしもユーザの再生履歴を用いる必要はなく、世間で最も良く聴かれた曲として、画像の日時属性で示される当時のヒット曲等を利用してもよい。
【００８５】
一方、ステップ９０３で「Ｎｏ」となり音楽が取得できなかった場合には、ステップ９０９で音楽をダウンロードするかどうかをユーザに確認する。そして、希望があればステップ９１０でネットワーク等からダウンロードすることで、画像の日時属性にあった音楽を入手する。ダウンロードを望まない場合でも、ステップ９１１でユーザが好きな音楽を再生するように設定するかどうかを確認し、ユーザの希望があればステップ２１２でユーザの所望する音楽を設定する。
【００８６】
以上説明したように、第４の実施形態によれば、ユーザに選択された画像データの日時属性に合う音楽データを、ユーザの再生頻度が記録された再生履歴を用いて設定することができる。これにより、ユーザにとって、思いで深い音楽データの設定に面倒な手間をかけずにスライドショーを楽しめる再生装置を提供することができる。
【００８７】
以上説明してきたように、本発明によれば、予め画像データを順番に並べなくても、適当なスライドショーが作成できる。また、画像データと音楽データの関連付けの際、画像データに関するユーザの思い出に合うような音楽データを自動的に関連づけることができる。他にも、その当時が思い出されるような音楽データを関連付けたり、画像の撮影内容にあう音楽データを関連付けたりすることができる。さらには、画像データと音楽データとの再生時間が合わない場合にも、適当にあわせることができる。
【００８８】
これにより、画像データに対して効果的な音楽データを関連付ける方法、及び、適当に選択された画像データを効果的に提示する方法を提供することができる。
【００８９】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００９０】
【図１】本発明の実施の形態に係るデータ再生装置の機能構成を示すブロック図である。
【図２】第１の実施形態に係る再生装置において、画像データと同時に再生させる音声データを設定する際の動作例を説明するフローチャートである。
【図３】第４の実施形態に係る再生装置の再生履歴記憶部に保存される再生履歴の一例を示す図である。
【図４】第１の実施形態に係るデータ再生装置において、画像データに関連する音声データを配置するデータ編成方法の一例を示す概念図である。
【図５】第２の実施形態に係るデータ再生装置において表示画面に出力される画面例を示す図である。
【図６】第２の実施形態に係るデータ再生装置において表示画面に出力される他の画面例を示す図である。
【図７】第２の実施形態に係るデータ再生装置において、音楽データに合わせて画像データをグルーピングして配置するデータ編成方法の一例を示す概念図である。
【図８】第２の実施形態に係るデータ再生装置において画像データをグルーピングする際の動作例を説明するフローチャートである。
【図９】第４の実施形態に係るデータ再生装置において再生履歴から音楽データを取得する際の動作例を説明するフローチャートである。
【図１０】第３の実施形態に係るデータ再生装置において画像データを並べ替える際の動作例を説明するフローチャートである。
【図１１】第３の実施形態に係るデータ再生装置において、音楽データに合わせて画像データを並べ替えて配置するデータ編成方法の一例を示す概念図である。
【図１２】第１の実施形態に係るデータ再生装置において、編成パラメータを決定する際の動作例を示すフローチャートである。
【符号の説明】
【００９１】
１０１：再生装置
１０２：ＣＰＵ
１０３：プログラムメモリ
１０４：メモリ
１０５：再生履歴記憶部
１０６：音楽データ再生リスト作成部
１０７：データ編成部
１０８：情報処理部
１０９：再生制御部
１１０：出力部
１１１：入力部
１１２：出力制御部
１１３：入力制御部
１１４：記憶媒体
【図１】
2008011395.tif 000003
【図２】
2008011395.tif 000004
【図３】
2008011395.tif 000005
【図４】
2008011395.tif 000006
【図５】
2008011395.tif 000007
【図６】
2008011395.tif 000008
【図７】
2008011395.tif 000009
【図８】
2008011395.tif 000010
【図９】
2008011395.tif 000011
【図１０】
2008011395.tif 000012
【図１１】
2008011395.tif 000013
【図１２】
2008011395.tif 000014